(57)【特許請求の範囲】
【請求項１】
支柱の頂部に一対の手摺の各々の端部を、前記支柱の軸線と直交する面内において角度調整可能に固定するための手摺用継手において、
前記支柱の前記頂部に固定される連結金物と、前記手摺の前記端部に固定される、支柱側端面が球面状に形成された端部金物と、前記連結金物と前記端部金物との間に固定され、前記連結金物に形成された凹陥部内に嵌め込まれる、上面が前記端部金物の下面と密着するように曲面に形成された円形状台座金物と、前記端部金物を前記台座金物を介して前記連結金物上に固定するためのボルトとからなり、前記ボルトの中心軸線間の距離は、前記支柱の外径寸法と等しいことを特徴とする手摺用継手。
【発明の詳細な説明】
【０００１】
【発明の属する技術分野】
この発明は、手摺用継手、特に、支柱の両側にビームが、支柱と直交する水平面内において角度をつけて固定されているときに、真上から見て手摺とビームとが重なり合うように、支柱の頂部に手摺を固定することができる手摺用継手に関するものである。
【０００２】
【従来の技術】
従来、支柱の両側にビームを、支柱と直交する水平面内において角度調整可能に固定するには、次のようにして行っていた。即ち、図１７に示すように、支柱１の側面に半球状部材３を当てがい、半球状部材３に半割り継手部材４を半球状座金５およびボルト６によって固定し、半割り継手部材４にビーム２の端部をボルト７によって固定する。
【０００３】
半割り継手部材４のボルト挿通孔４Ａは、バカ孔状に形成されているので、所定角度範囲内において、支柱１に対するビーム２の固定角度を調整することができる。
【０００４】
一方、支柱の頂部に手摺を、支柱と直交する水平面内において角度調整可能に固定するには、次のようにして行っていた。即ち、図１７に示すように、支柱１の頂部に連結金物８をボルト９によって固定し、連結金物８に形成された受け板１０に端部金物１１および手摺１２をボルト１３によって固定する。端部金物１１の連結端は、半円柱状に形成され、ボルト１４によって角度調整可能に連結されている。
【０００５】
ボルト１４は、支柱１の中心軸線と合致しているので、手摺１２の固定角度は、支柱１の中心軸線を中心として調整することができる。
【０００６】
【発明が解決しようとする課題】
しかしながら、上述した従来技術は、次のような問題があった。即ち、ビーム２は、図１８に示すように、支柱１の外周面を通る軸線（ｌ1 ）を中心として回動する。これに対して、手摺１２は、支柱１の中心軸線（ｌ2 ）を中心として回動する。このように、ビーム２と手摺１２との回動中心軸線が異なるので、支柱１の真上から見た場合、手摺とビームとが重なり合わず、外観が悪い。
【０００７】
従って、この発明の目的は、支柱の両側にビームが、支柱と直交する水平面内において角度をつけて固定されているときに、真上から見て手摺とビームとが重なり合うように、支柱の頂部に手摺を固定することができる手摺用継手を提供することにある。
【０００８】
【課題を解決するための手段】
請求項１記載の発明は、支柱の頂部に一対の手摺の各々の端部を、前記支柱の軸線と直交する面内において角度調整可能に固定するための手摺用継手において、前記支柱の前記頂部に固定される連結金物と、前記手摺の前記端部に固定される、支柱側端面が球面状に形成された端部金物と、前記連結金物と前記端部金物との間に固定され、前記連結金物に形成された凹陥部内に嵌め込まれる、上面が前記端部金物の下面と密着するように曲面に形成された円形状台座金物と、前記端部金物を前記台座金物を介して前記連結金物上に固定するためのボルトとからなり、前記ボルトの中心軸線間の距離は、前記支柱の外径寸法と等しいことに特徴を有するものである。
【０００９】
【発明の実施の形態】
次に、この発明の手摺用継手の一実施態様を、図面を参照しながら説明する。図１は、この発明の手摺用継手を示す斜視図、図２は、この発明の手摺用継手を示す平面図、図３は、この発明の手摺用継手を示す正面図、図４は、この発明の手摺用継手を示す側面図、図５は、この発明の手摺用継手の連結金物を示す斜視図、図６は、この発明の手摺用継手の連結金物を示す平面図、図７は、この発明の手摺用継手の連結金物を示す正面図、図８は、この発明の手摺用継手の連結金物を示す側面図、図９は、この発明の手摺用継手の端部金物を示す斜視図、図１０は、この発明の手摺用継手の端部金物を示す平面図、図１１は、この発明の手摺用継手の端部金物を示す正面図、図１２は、この発明の手摺用継手の端部金物を示す側面図、図１３は、この発明の手摺用継手の台座金物を示す斜視図、図１４は、この発明の手摺用継手の台座金物を示す平面図、図１５は、この発明の手摺用継手の台座金物を示す正面図、図１６は、この発明の手摺用継手の台座金物を示す側面図である。
【００１０】
図１から図１６において、１５は、支柱１の球面状頂部にボルト止めされる連結金物である。連結金物１５は、図５から図８に示すように、支柱１の球面状頂部に嵌まり込む球面状下面１５Ａ、支柱１にボルト止めするためのボルトの挿通孔１５Ｂ、および、挿通孔１５Ｂの両側に後述する台座金物が嵌合する一対の円形状凹陥部１５Ｃが形成されている。凹陥部１５Ｃの底部には、後述する端部金物および前記台座金物を挿通してねじ込まれるボルト１６のねじ孔１５Ｄが形成されている。ねじ孔１５Ｄの中心軸線間の距離（Ｌ）は、支柱１の外径寸法と等しい。
【００１１】
１７は、手摺１２の端部に固定される端部金物である。端部金物１７は、図９から図１２に示すように、手摺１２にボルト止めするためのボルトのねじ孔１７Ａ、および、ボルト１６の挿通孔１７Ｂが形成されている。端部金物１７は、支柱側端面は、手摺１２を回動させたときに、互いに干渉しないように球面状に形成されている。
【００１２】
１８は、連結金物１５の凹陥部１５Ｃ内に嵌め込まれる円形状台座金物である。台座金物１８は、図１３から図１６に示すように、ボルト１６の挿通孔１８Ａが形成され、上面は、端部金物１７の下面と密着するように、曲面に形成されている。
【００１３】
このように構成されている、この発明の手摺用継手によれば、以下のようにして、支柱１の頂部に手摺２が固定される。
先ず、支柱１の頂部に連結金物１５をボルト止めする。次に、連結金物１５の凹陥部１５Ｃ内に台座金物１８を嵌め込む。そして、台座金物１８上に、手摺１２をボルト止めした端部金物１７を乗せ、ボルト１６を端部金物１７のボルト挿通孔１７Ｂおよび台座金物１８のボルト挿通孔１８Ａ内に挿通して、連結金物１５のねじ孔１５Ｄ内にねじ込む。
【００１４】
ボルト１６の中心軸線間の距離は、支柱１の外径寸法と等しいので、手摺１２は、支柱１の外周面を通る軸線を中心として角度調整可能に取り付けられる。従って、図１７に示すように、半球状部材３を使用してビーム２を支柱１に固定する場合においても、真上から見て手摺１２とビーム２とが重なり合うように、手摺１２を支柱１の頂部に固定することができる。
【００１５】
【発明の効果】
以上説明したように、この発明によれば、支柱の頂部に固定する一対の手摺の固定軸間の距離を支柱の外径寸法と一致させることによって、支柱の両側にビームが、支柱と直交する水平面内において角度をつけて固定されているときに、真上から見て手摺とビームとが重なり合うように、支柱の頂部に手摺を固定することができるといった有用な効果がもたらされる。
【図面の簡単な説明】
【図１】この発明の手摺用継手を示す斜視図である。
【図２】この発明の手摺用継手を示す平面図である。
【図３】この発明の手摺用継手を示す正面図である。
【図４】この発明の手摺用継手を示す側面図である。
【図５】この発明の手摺用継手の連結金物を示す斜視図である。
【図６】この発明の手摺用継手の連結金物を示す平面図である。
【図７】この発明の手摺用継手の連結金物を示す正面図である。
【図８】この発明の手摺用継手の連結金物を示す側面図である。
【図９】この発明の手摺用継手の端部金物を示す斜視図である。
【図１０】この発明の手摺用継手の端部金物を示す平面図である。
【図１１】この発明の手摺用継手の端部金物を示す正面図である。
【図１２】この発明の手摺用継手の端部金物を示す側面図である。
【図１３】この発明の手摺用継手の台座金物を示す斜視図である。
【図１４】この発明の手摺用継手の台座金物を示す平面図である。
【図１５】この発明の手摺用継手の台座金物を示す正面図である。
【図１６】この発明の手摺用継手の台座金物を示す側面図である。
【図１７】従来技術による支柱と手摺およびビームとの組立分解斜視図である。
【図１８】従来技術によるビームの回動態様を示す平面図である。
【符号の説明】
１：支柱
２：ビーム
３：半球状部材
４：半割り継手部材
４Ａ：ボルト挿通孔
５：半球状座金
６：ボルト
７：ボルト
８：連結金物
９：ボルト
１０：受け板
１１：端部金物
１２：手摺
１３：ボルト
１４：ボルト
１５：連結金物
１５Ａ：球面状下面
１５Ｂ：ボルト挿通孔
１５Ｃ：凹陥部
１５Ｄ：ねじ孔
１６：ボルト
１７：端部金物
１７Ａ：ねじ孔
１７Ｂ：ボルト挿通孔
１８：台座金物
１８Ａ：ボルト挿通孔
【図１】
0003892935.tif 000002
【図２】
0003892935.tif 000003
【図３】
0003892935.tif 000004
【図４】
0003892935.tif 000005
【図５】
0003892935.tif 000006
【図６】
0003892935.tif 000007
【図７】
0003892935.tif 000008
【図８】
0003892935.tif 000009
【図９】
0003892935.tif 000010
【図１０】
0003892935.tif 000011
【図１１】
0003892935.tif 000012
【図１２】
0003892935.tif 000013
【図１３】
0003892935.tif 000014
【図１４】
0003892935.tif 000015
【図１５】
0003892935.tif 000016
【図１６】
0003892935.tif 000017
【図１７】
0003892935.tif 000018
【図１８】
0003892935.tif 000019